(57)【要約】【課題】大腿部および下腿部を含む領域で膝や股関節の屈曲に寄与する大腿部および下腿部の屈筋群に当接力を付与可能な身体装着具を提供する。【解決手段】身体装着具１００は、大腿部３４および下腿部３５の少なくとも一部を含む領域ならびに腰部３２に装着される筒状部２０と、筒状部２０に設けられ、身体に装着されたときに所定の部位に当接する程度の伸縮性を有する帯状部１０と、を備える。帯状部１０は、脚の延伸方向に沿って延伸し、膝または股関節の屈曲に寄与する大腿部３４、下腿部３５または腰部３２の屈筋に当接力を付与可能に設けられる。【選択図】図１
2020117820.tif 000002
【特許請求の範囲】
【請求項１】
大腿部および下腿部の少なくとも一部を含む領域ならびに腰部に装着される筒状部と、
前記筒状部に設けられ、身体に装着されたときに所定の部位に当接する程度の伸縮性を有する帯状部と、を備え、
前記帯状部は、脚の延伸方向に沿って延伸し、膝または股関節の屈曲に寄与する大腿部、下腿部または腰部の屈筋に当接力を付与可能に設けられることを特徴とする身体装着具。
【請求項２】
前記帯状部は、
大腿二頭筋に当接力を付与する位置において臀部下部から下腿部に至る範囲に延伸する第１帯状部と、
半膜様筋または半腱様筋に当接力を付与する位置において臀部下部から大腿部に至る範囲に延伸する第２帯状部と、
下腿屈筋群および大腿屈筋群に当接力を付与する位置において脹脛から膝窩と脚の前後境界との間を通り大腿屈筋群に至る範囲に延伸し、脚の後側において膝窩を挟む位置で互いに離隔される第３帯状部および第４帯状部と
を含み、
前記第１帯状部および前記第２帯状部は膝から遠ざかるに連れて接近することを特徴とする請求項１に記載の身体装着具。
【請求項３】
前記第１帯状部および前記第２帯状部の上端は臀部下部において互いに接続され、前記第１帯状部および前記第２帯状部の下端は離隔されることを特徴とする請求項２に記載の身体装着具。
【請求項４】
前記第３帯状部および前記第４帯状部の上端は、脚の後側において、大腿部の幅方向中央部で互いに接続され、前記第１帯状部および前記第２帯状部の下端より上に位置することを特徴とする請求項２または３に記載の身体装着具。
【請求項５】
前記第３帯状部および前記第４帯状部の下端は、脚の後側において、下腿部の幅方向中央部で互いに接続され、前記第１帯状部および前記第２帯状部の下端より下に位置することを特徴とする請求項２から４のいずれかに記載の身体装着具。
【請求項６】
前記帯状部は、大腿筋膜張筋に当接力を付与する位置において、腰部から大腿部に至る範囲において体側部に延伸する体側帯状部を含むことを特徴とする請求項２から５のいずれかに記載の身体装着具。
【請求項７】
前記体側帯状部は、脚の前側において、下腿部まで延伸することを特徴とする請求項６に記載の身体装着具。
【請求項８】
前記帯状部は、内転筋に当接力を付与する位置において、鼠径部から大腿部に至る範囲で内股近傍に延伸する内股帯状部を含むことを特徴とする請求項２から７のいずれかに記載の身体装着具。
【請求項９】
前記内股帯状部は、脚の前側において、下腿部まで延伸することを特徴とする請求項８に記載の身体装着具。
【請求項１０】
前記帯状部は、大腰筋に当接力を付与する位置において、腰部から大腿部に至る範囲で身体前側に延伸し、幅方向に離隔して配置される一対の前側帯状部を含むことを特徴とする請求項２から９のいずれかに記載の身体装着具。
【請求項１１】
前記前側帯状部は、正面視で大腿部の幅方向中央から上向きに延在することを特徴とする請求項１０に記載の身体装着具。
【請求項１２】
前記前側帯状部の上端は鼠径部より上に位置し、前記前側帯状部の下端は鼠径部より下に位置することを特徴とする請求項１０または１１に記載の身体装着具。
【発明の詳細な説明】
【技術分野】
【０００１】
本発明は、人の大腿部および下腿部を含む領域に装着される身体装着具に関する。
【背景技術】
【０００２】
腰部に装着されるガードルが知られている。例えば、特許文献１には、伸縮性のある布地で形成されたガードル本体の裏面に、左右の腰部から内転筋に沿って前面の股下に至るように設けた第一の補強弾性帯と、骨盤及び股関節を覆い、背面で大殿筋を持ち上げるように設けた第二の補強弾性帯と、恥骨から大転子を覆い、臀部に延在する第三の補強弾性帯とを備えた骨盤矯正用ガードルが記載されている。
【先行技術文献】
【特許文献】
【０００３】
【特許文献１】特開２０１７−０５３０５０号公報
【発明の概要】
【発明が解決しようとする課題】
【０００４】
発明者は、大腿部および下腿部を含む領域に装着される装着具について検討し、大腿部および下腿部の屈筋群に圧縮を加えることで、大腿部および下腿部の伸筋に弛緩をもたらしうることを見出した。このことにより、身体の動きが滑らかになり、大腿部および下腿部の疲労が緩和されることが期待できる。例えば、大腿部および下腿部を含む領域で、膝や股関節の屈曲に寄与する屈筋群に当接力を加えることにより、膝や股関節の屈曲に寄与する屈筋群を刺激することが可能である。
【０００５】
しかしながら、特許文献１に記載のガードルは、大腿部および下腿部を含む領域で膝や股関節の屈曲に寄与する大腿部周辺の屈筋群に当接力を付与する機能を備えていない。このことから、発明者は、特許文献１に記載のガードルには、大腿部および下腿部を含む領域で膝や股関節の屈曲に寄与する大腿部および下腿部の屈筋群に当接力を加える観点で改善すべき余地があることを認識した。
【０００６】
本発明の目的は、このような課題に鑑みてなされたもので、大腿部および下腿部を含む領域で膝や股関節の屈曲に寄与する大腿部および下腿部の屈筋群に当接力を付与可能な身体装着具を提供することにある。
【課題を解決するための手段】
【０００７】
上記課題を解決するために、本発明のある態様の身体装着具は、大腿部および下腿部の少なくとも一部を含む領域ならびに腰部に装着される筒状部と、筒状部に設けられ、身体に装着されたときに所定の部位に当接する程度の伸縮性を有する帯状部と、を備える。帯状部は、脚の延伸方向に沿って延伸し、膝または股関節の屈曲に寄与する大腿部、下腿部または腰部の屈筋に当接力を付与可能に設けられる。
【０００８】
この態様によると、膝や股関節の屈曲に寄与する屈筋群に当接力を付与することができる。
【０００９】
なお、以上の構成要素の任意の組み合わせや本発明の構成要素や表現を、方法、装置、システムなどの間で相互に置換したものもまた、本発明の態様として有効である。
【発明の効果】
【００１０】
本発明によれば、大腿部および下腿部を含む領域で膝や股関節の屈曲に寄与する大腿部および下腿部の屈筋群に当接力を付与可能な身体装着具を提供することができる。
【図面の簡単な説明】
【００１１】
【図１】実施の形態に係る身体装着具を装着した状態を示す背面図である。
【図２】図１の身体装着具を装着した状態を示す正面図である。
【図３】図１の身体装着具の展開図である。
【発明を実施するための形態】
【００１２】
以下、本発明を好適な実施形態をもとに各図面を参照しながら説明する。実施形態および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１３】
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１４】
なお、以下の説明において、「平行」、「垂直」は、完全な平行、垂直だけではなく、誤差の範囲で平行、垂直からずれている場合も含むものとする。また、「略」は、おおよその範囲で同一であるという意味である。
【００１５】
［実施の形態］
以下、図面を参照して、本発明に係る実施の形態の構成について説明する。図１は、本発明の実施の形態に係る身体装着具１００を身体に装着した状態を示す背面図である。図２は、身体装着具１００を身体に装着した状態を示す正面図である。
【００１６】
便宜上、図１、図２に示すように人が真っ直ぐに立った状態において身体３０の延伸方向を「上下方向」といい、脚から頭に向かう方向を「上」、「上側」あるいは「上方」と、その逆方向を「下」、「下側」あるいは「下方」という。身体３０の上下方向において、大腿部３４の付け根から足先に向かう方向を「先方向」、「先側」といい、その逆方向を「反先方向」、「反先側」という。また、真っ直ぐに立った状態で、前後方向で背中側を「後側」といい、腹側を「前側」という。また、身体３０の後側と前側の境界を「前後境界」という。また、真っ直ぐに立った状態で、身体３０の左右方向を「幅方向」という。また、幅方向において、身体３０の中心に向かう方向を「内向」、「内側」といい、中心から遠ざかる方向を「外向」あるいは「外側」という。
【００１７】
なお、身体３０の各部位を示す符号が身体装着具１００上を指している場合も、これらは身体３０の各部位を指すものであって、身体装着具１００を指すものではない。
【００１８】
図３は、身体装着具１００の展開図である。図３は、左側部の前後境界で開いて展開した状態を示している。これらの図において、一点鎖線Ｌｂは、身体３０の内側の前後境界を示している。また、一点鎖線Ｌａは、後述する第１筒状部２２と第２筒状部２４との境界を示している。また、一点鎖線Ｌｎは、膝３７の中心線を示している。なお、一点鎖線Ｌａ、Ｌｂ、Ｌｎによる境界は、あくまでも一例であって、身体装着具１００は任意の態様で装着されうる。
【００１９】
図１〜図３に示すように、身体装着具１００は、筒状部２０と、帯状部１０と、を含む。筒状部２０は、人の身体３０に装着される筒状の部分である。帯状部１０は、筒状部２０に設けられ、身体３０に装着されたときに所定の部位に当接する程度の伸縮性を有する帯状の部分である。
【００２０】
（筒状部）
図１〜図３に示すように、本実施形態の筒状部２０は、大腿部３４および下腿部３５の少なくとも一部に装着される左右一対の第１筒状部２２と、腰部３２に装着される第２筒状部２４とを含む。この例の第１筒状部２２は、その下端が足首近傍まで延びている。一対の第１筒状部２２と第２筒状部２４とは、糸を筒状に編成することによって一体的に形成されている。図１〜図３に示すように、各第１筒状部２２の先側には第１開口２０ｈが設けられ、第２筒状部２４の反先側には第２開口２０ｊが設けられる。
【００２１】
図１〜図３に示すように、筒状部２０の先側の第１開口２０ｈには第１端部２０ｄが設けられ、反先側の第２開口２０ｊには第２端部２０ｅが設けられている。本実施形態体の第１端部２０ｄおよび第２端部２０ｅは、環囲する部位を緊縮する口ゴム部として機能する。
【００２２】
第１端部２０ｄは、下腿部３５の足首近傍を緊縮する。上下方向において、膝３７の中心から足首までの距離を１００％とするとき、第１端部２０ｄは、膝３７の中心から７０％〜１００％の範囲のいずれかの位置を緊縮するように設けられてもよい。第２端部２０ｅは、腰部３２のウエスト側の領域を緊縮する。第２端部２０ｅは、腰部３２の腸骨稜の上側に位置してもよい。第１、第２端部２０ｄ、２０ｅは、例えば、編成ゴム帯を縫い付けまたはゴム糸などの弾性糸を編み込んでもよい。この例の第１、第２端部２０ｄ、２０ｅは、鹿の子編みされている。このように構成することにより、着用時のズレを抑制することができる。
【００２３】
（帯状部）
帯状部１０は、脚の延伸方向に沿って延伸し、膝３７または股関節の屈曲に寄与する下腿部３５、大腿部３４または腰部３２の屈筋に当接力を付与可能に設けられる。帯状部１０は、延伸方向の長さ寸法に比べて小さな幅寸法を有する細長形状を呈する。帯状部１０は、左右対称に設けられてもよい。
【００２４】
（屈筋群）
股関節または膝３７の屈曲に寄与する屈筋群には、大腿屈筋群と下腿屈筋群が主に含まれる。大腿屈筋群には、大腿二頭筋、半腱様筋、半膜様筋、大腿筋膜張筋、内転筋、大腰筋などが含まれる。これらの屈筋群において大腿二頭筋は他よりも大きく最も重要である。下腿屈筋群には腓腹筋の内側頭と外側頭、ヒラメ筋、後脛骨筋、膝窩筋などが含まれる。下腿屈筋群において、腓腹筋とヒラメ筋は他よりも大きく最も重要である。
【００２５】
帯状部１０は、装着者の身体３０に装着されることで、その身体形状に沿って伸び、その復元力によって縮む方向の収縮力を身体３０に付与する。帯状部１０は筒状部２０より大きな伸縮性を有する材料から形成される。特に、帯状部１０は筒状部２０より弾性限界が大きく弾性率が小さいシート状の生地から形成される。帯状部１０は、例えばゴムなど大きな弾性を有する素材が織り込まれた織物から形成されてもよい。帯状部１０は筒状部２０より厚い生地から形成されてもよい。
【００２６】
（第１帯状部、第２帯状部）
図１〜図３に示すように、帯状部１０は、大腿二頭筋に当接力を付与する位置において、臀部下部から大腿部に至る範囲に延伸する第１帯状部１１を含む。第１帯状部１１は、左右両脚それぞれに対応して設けられる。第１帯状部１１は、大腿二頭筋に沿って延伸してもよい。帯状部１０は、半膜様筋または半腱様筋に当接力を付与する位置において、臀部下部から大腿部に至る範囲に延伸する第２帯状部１２を含む。第２帯状部１２は、半膜様筋または半腱様筋に沿って延伸してもよい。第２帯状部１２は、左右両脚それぞれに対応して設けられる。
【００２７】
本実施形態の第１、第２帯状部１１、１２は、大腿部３４の膝３７近傍まで延びている。第１、第２帯状部１１、１２は、臀部下部において接続され、大腿部３４において離隔されている。また、第１帯状部１１の反先側の端部１１ｅと、第２帯状部１２の反先側の端部１２ｅとは、接続部１３によって接続されている。端部１１ｅおよび端部１２ｅは、臀溝３６の上側に位置してもよいし、下側に位置してもよい。
【００２８】
第１帯状部１１と、接続部１３と、第２帯状部１２とは台形の輪郭に沿った形状を呈する。第１帯状部１１と、第２帯状部１２とは、臀部下部において分離されてもよい。第１、第２帯状部１１、１２は、前後境界を跨いでもよいが、本実施形態では前後境界を跨がないように身体３０の後側に配置される。
【００２９】
第１、第２帯状部１１、１２の幅は５ｍｍ〜４０ｍｍの範囲であってもよく、好ましくは１０ｍｍ〜３５ｍｍの範囲であってもよく、より好ましくは１２ｍｍ〜３２ｍｍの範囲であってもよい。本実施形態の第１、第２帯状部１１、１２の幅は１５ｍｍ〜３０ｍｍの範囲に設定されている。
【００３０】
先側の端部１１ｄ、１２ｄは、大腿部３４の膝３７の近傍に配置される。端部１１ｄ、１２ｄは膝３７より下側に位置してもよい。上下方向において、脚の付け根から膝３７の中心までの距離を１００％とするとき、端部１１ｄ、１２ｄは、脚の付け根から７０％〜１４０％の範囲に配置されてもよい。より効果的に当接力を付与する観点から、端部１１ｄ、１２ｄの位置は、脚の付け根から７５％〜１２０％の範囲が好ましく、脚の付け根から８０％〜１１０％の範囲がより好ましい。本実施形態では、端部１１ｄ、１２ｄは、脚の付け根から９０％〜１００％の範囲に位置している。
【００３１】
第１帯状部１１と第２帯状部１２とは、平行または非平行に配置されてもよい。本実施形態の第１帯状部１１と第２帯状部１２とは、膝３７から遠ざかるに連れて接近するように配置される。つまり、これらの互いの離間距離は先側から反先側に向かって徐々に小さくなる。
【００３２】
（第３帯状部、第４帯状部）
図１〜図３に示すように、帯状部１０は、下腿屈筋群および大腿屈筋群に当接力を付与する位置において、脹脛から膝窩と脚の前後境界との間を通り大腿屈筋群に至る範囲に延伸し、脚の後側において、膝窩を挟む位置で互いに離隔される第３帯状部１７および第４帯状部１８を含む。第３帯状部１７および第４帯状部１８は、左右両脚それぞれに対応して設けられる。第３帯状部１７は、脚の後側において、第４帯状部１８の外側に配置される。第３帯状部１７および第４帯状部１８は、腓腹筋またはヒラメ筋に沿って延伸してもよい。
【００３３】
第３、第４帯状部１７、１８の幅は５ｍｍ〜４０ｍｍの範囲であってもよく、好ましくは１０ｍｍ〜３５ｍｍの範囲であってもよく、より好ましくは１２ｍｍ〜３２ｍｍの範囲であってもよい。本実施形態の第３、第４帯状部１７、１８の幅は１５ｍｍ〜３０ｍｍの範囲に設定されている。
【００３４】
本実施形態の第３帯状部１７および第４帯状部１８の反先側の端部１７ｅ、１８ｅは、脚の後側において、大腿部３４の幅方向中央部で互いに接続され、第１帯状部１１および第２帯状部１２の先側の端部１１ｄ、１２ｄより上に位置する。上下方向において、脚の付け根から膝３７の中心までの距離を１００％とするとき、端部１７ｅ、１８ｅは、脚の付け根から７０％〜９０％の範囲に配置されてもよい。
【００３５】
本実施形態の第３帯状部１７および第４帯状部１８の先側の端部１７ｄ、１８ｄは、脚の後側において、下腿部３５の幅方向中央部で互いに接続され、第１帯状部１１および第２帯状部１２の先側の端部１１ｄ、１２ｄより下に位置する。上下方向において、膝３７の中心から足首までの距離を１００％とするとき、端部１７ｄ、１８ｄは、膝３７の中心から７０％〜１００％の範囲に配置されてもよい。この例の端部１７ｄ、１８ｄは、第１端部２０ｄに接している。
【００３６】
（体側帯状部）
図１〜図３に示すように、帯状部１０は、大腿筋膜張筋に当接力を付与する位置において、腰部３２から大腿部３４に至る範囲において体側部に延伸する左右一対の体側帯状部１４を含む。体側帯状部１４は、大腿筋膜張筋に沿って延伸してもよい。本実施形態では、一対の体側帯状部１４は、身体３０の前後境界に沿って延びており、互いに平行に配置される。
【００３７】
体側帯状部１４の幅は５ｍｍ〜４０ｍｍの範囲であってもよく、好ましくは１０ｍｍ〜３５ｍｍの範囲であってもよく、より好ましくは１２ｍｍ〜３２ｍｍの範囲であってもよい。本実施形態の体側帯状部１４の幅は１５ｍｍ〜３０ｍｍの範囲に設定されている。
【００３８】
体側帯状部１４の反先側の端部１４ｅは、腰部３２のウエスト側の領域に位置する。端部１４ｅは、腰部３２の腸骨稜の上側に位置してもよい。端部１４ｅは、第２端部２０ｅに接している。体側帯状部１４は、脚の前側において、下腿部３５まで延伸してもよい。本実施形態の体側帯状部１４の先側の端部１４ｄは、下腿部３５の膝３７の近傍に配置される。上下方向において、膝３７の中心から足首までの距離を１００％とするとき、端部１４ｄは、膝３７の中心から１０％〜４０％の範囲に配置されてもよい。
【００３９】
（内股帯状部）
図１〜図３に示すように、帯状部１０は、内転筋に当接力を付与する位置において、鼠径部３８から大腿部３４に至る範囲で内股近傍に延伸する左右一対の内股帯状部１５を含む。内股帯状部１５は内転筋に沿って延伸してもよい。本実施形態では、一対の内股帯状部１５は前後境界の前側において内股に平行に配置される。内股帯状部１５は、脚の前側において、下腿部３５まで延伸してもよい。
【００４０】
内股帯状部１５の幅は５ｍｍ〜４０ｍｍの範囲であってもよく、好ましくは１０ｍｍ〜３５ｍｍの範囲であってもよく、より好ましくは１２ｍｍ〜３２ｍｍの範囲であってもよい。本実施形態の内股帯状部１５の幅は１５ｍｍ〜３０ｍｍの範囲に設定されている。
【００４１】
本実施形態では、内股帯状部１５の反先側の端部１５ｅは、鼠径部に接している。
内股帯状部１５は、脚の前側において、下腿部３５まで延伸してもよい。本実施形態の内股帯状部１５の先側の端部１５ｄは、下腿部３５の膝３７の近傍に配置される。上下方向において、膝３７の中心から足首までの距離を１００％とするとき、端部１５ｄは、膝３７の中心から１０％〜４０％の範囲に配置されてもよい。上下方向において、端部１５ｄは、端部１４ｄと略同位置に位置してもよい。
【００４２】
（前側帯状部）
図１〜図３に示すように、帯状部１０は、大腰筋に当接力を付与する位置において、腰部３２から大腿部３４に至る範囲で身体前側に延伸し、幅方向に離隔して配置される一対の前側帯状部１６を含む。前側帯状部１６は大腰筋に沿って延伸してもよい。前側帯状部１６は、大腿部３４の幅方向中央から身体の上下方向に延在してもよい。前側帯状部１６は、大腿部３４の幅方向中央から上向きに体側帯状部１４に略平行に延在する。
【００４３】
前側帯状部１６の幅は５ｍｍ〜４０ｍｍの範囲であってもよく、好ましくは１０ｍｍ〜３５ｍｍの範囲であってもよく、より好ましくは１２ｍｍ〜３２ｍｍの範囲であってもよい。本実施形態の前側帯状部１６の幅は１５ｍｍ〜３０ｍｍの範囲に設定されている。
【００４４】
前側帯状部１６の反先側の端部１６ｅ（上端）は、鼠径部３８より上に位置し、腰部３２のウエスト側の領域に位置する。端部１６ｅは腰部３２の腸骨稜の上側に位置してもよい。この例では、端部１６ｅは、第２端部２０ｅ（上端）に接している。前側帯状部１６の先側の端部１６ｄ（下端）は、鼠径部３８より下に位置する。特に、上下方向において、前側帯状部１６の先側の端部１６ｄは、鼠径部３８を越えて延び、内股帯状部１５の反先側の端部１５ｅと略同じ位置に配置される。上下方向において、脚の付け根から膝３７の中心までの距離を１００％とするとき、端部１６ｄは、脚の付け根から５％〜３０％の範囲に位置している。
【００４５】
以上のように構成された身体装着具１００の特徴を説明する。
【００４６】
本実施形態の身体装着具１００は、大腿部３４および下腿部３５の少なくとも一部を含む領域ならびに腰部３２に装着される筒状部２０と、筒状部２０に設けられ、身体に装着されたときに所定の部位に当接する程度の伸縮性を有する帯状部１０と、を備える。帯状部１０は、脚の延伸方向に沿って延伸し、膝または股関節の屈曲に寄与する大腿部３４、下腿部３５または腰部３２の屈筋に当接力を付与可能に設けられる。
【００４７】
この構成によれば、帯状部１０が膝３７または股関節の屈曲に寄与する屈筋に圧縮力を付与できるので、これらの屈筋に対応する伸筋群に弛緩をもたらすことができる。このことにより、腰部３２から大腿部３４の動きが滑らかになり、腰部３２または大腿部３４周辺の疲労が緩和される。
【００４８】
帯状部１０は、大腿二頭筋に当接力を付与する位置において臀部下部から下腿部３５に至る範囲に延伸する第１帯状部１１と、半膜様筋または半腱様筋に当接力を付与する位置において臀部下部から大腿部３４に至る範囲に延伸する第２帯状部１２と、下腿屈筋群および大腿屈筋群に当接力を付与する位置において、脹脛から膝窩と脚の前後境界との間を通り大腿屈筋群に至る範囲に延伸し、脚の後側において膝窩を挟む位置で互いに離隔される第３帯状部１７および第４帯状部１８とを含む。第１帯状部１１および第２帯状部１２は膝から遠ざかるに連れて接近してもよい。
【００４９】
この場合、第１、第２帯状部１１、１２と第３、第４帯状部１７、１８とを含むことにより、大腿二頭筋、下腿屈筋群および大腿屈筋群に圧縮力を付与できるので、この周辺の伸筋群に弛緩をもたらすことができる。
【００５０】
第１帯状部１１および第２帯状部１２の上端は臀部下部において互いに接続され、第１帯状部１１および第２帯状部１２の下端は離隔されてもよい。この場合、第１、第２帯状部１１、１２を大腿二頭筋に沿って配置できる。
【００５１】
第３帯状部１７および第４帯状部１８の上端は、脚の後側において、大腿部３４の幅方向中央部で互いに接続され、第１帯状部１１および第２帯状部１２の下端より上に位置してもよい。この場合、第３、第４帯状部１７、１８の上部が、第１、第２帯状部１１、１２の下部と重複するので、大腿部３４の下部の屈筋に効果的に圧縮力を付与できる。
【００５２】
第３帯状部１７および第４帯状部１８の下端は、脚の後側において、下腿部３５の幅方向中央部で互いに接続され、第１帯状部１１および第２帯状部１２の下端より下に位置してもよい。この場合、第３、第４帯状部１７、１８の下部が第１、第２帯状部１１、１２下部と重複しないので、下腿部３５の上部の屈筋に過度の圧縮力が加わることを回避できる。
【００５３】
帯状部１０は、大腿筋膜張筋に当接力を付与する位置において、腰部３２から大腿部３４に至る範囲において体側部に延伸する体側帯状部１４を含んでもよい。この場合、大腿筋膜張筋に圧縮力を付与できるので、この周辺の伸筋群に弛緩をもたらすことができる。特に、第１帯状部１１と体側帯状部１４とに挟まれる領域の屈筋に効果的に圧縮力を付与できる。
【００５４】
体側帯状部１４は、脚の前側において、下腿部３５まで延伸してもよい。この場合、広範囲の大腿筋膜張筋に効果的に圧縮力を付与できる。
【００５５】
帯状部１０は、内転筋に当接力を付与する位置において、鼠径部から大腿部３４に至る範囲で内股近傍に延伸する内股帯状部１５を含んでもよい。この場合、内転筋に圧縮力を付与できるので、この周辺の伸筋群に弛緩をもたらすことができる。
【００５６】
内股帯状部１５は、脚の前側において、下腿部３５まで延伸してもよい。この場合、広範囲の内転筋に効果的に圧縮力を付与できる。
【００５７】
帯状部１０は、大腰筋に当接力を付与する位置において、腰部３２から大腿部３４に至る範囲で身体前側に延伸し、幅方向に離隔して配置される一対の前側帯状部１６を含んでもよい。この場合、大腰筋に圧縮力を付与できるので、この周辺の伸筋群に弛緩をもたらすことができる。
【００５８】
前側帯状部１６は、正面視で大腿部３４の幅方向中央から身体の上下方向に延在してもよい。この場合、前側帯状部１６を大腰筋に沿って配置できるので、大腰筋に効果的に圧縮力を付与できる。
【００５９】
前側帯状部１６の上端は鼠径部３８より上に位置し、前側帯状部１６の下端は鼠径部３８より下に位置してもよい。この場合、広範囲の大腰筋に効果的に圧縮力を付与できる。
【００６０】
以上、本発明の実施形態をもとに説明した。これらの実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００６１】
［変形例］
以下、変形例について説明する。変形例の説明では、実施の形態と同一または同等の構成要素、部材には、同一の符号を付する。実施の形態と重複する説明を適宜省略し、実施の形態と相違する構成について重点的に説明する。
【００６２】
実施の形態の説明では、筒状部２０の先側の第１開口２０ｈが、足首近傍に位置する例を示したが、本発明はこれに限られない。例えば、筒状部２０の先側の開口は、膝３７と足首の中間近傍に配置されてもよい。
【００６３】
実施の形態の説明では、筒状部２０の反先側の第２開口２０ｊが、腰部３２のウエスト側の領域に位置する例を示したが、本発明はこれに限られない。例えば、筒状部２０の反先側の開口は、腹部を越えて上方に延びてもよい。
【００６４】
実施の形態の説明では、筒状部２０がレギンスの形状を有する例を示したが、本発明はこれに限られない。例えば、筒状部２０が足先まで包むようなタイツ又はストッキングの形状を有してもよい。また、筒状部２０は足先において袋状に閉じられてもよい。
【００６５】
実施の形態の説明では、帯状部１０が左右対称に配置される例を示したが、本発明はこれに限られない。帯状部は非対称な部分を含んでもよい。
【００６６】
実施の形態の説明では、筒状部２０が丸編みにより一体の筒状に形成される例を示したが、本発明はこれに限られない。例えば、筒状部２０は、平編みにより平らに編まれ、縫製等により筒状に形成されてもよい。あるいは、筒状部２０は、所定の箇所にファスナを設け、ファスナを開いた状態で身体に巻き付け、ファスナを閉じて身体を包囲するようにしてもよい。
【００６７】
実施の形態の説明では、身体装着具１００が独立した装着体である例を示したが、本発明はこれに限られない。例えば、身体装着具は身体に装着される衣類やサポータの一部であってもよい。
【００６８】
なお、これらの変形例は、前述の各実施形態と同様の作用・効果を奏する。
【００６９】
前述の各実施形態と変形例の任意の組み合わせもまた本発明の実施形態として有用である。組み合わせによって生じる新たな実施形態は、組み合わされる各実施形態および変形例それぞれの効果をあわせもつ。
【符号の説明】
【００７０】
１０・・帯状部、  １１・・第１帯状部、  １２・・第２帯状部、  １４・・体側帯状部、  １５・・内股帯状部  、１６・・前側帯状部、  １７・・第３帯状部、  １８・・第４帯状部、  ２０・・筒状部、  ３０・・身体、  ３２・・腰部、  ３４・・大腿部、  ３５・・下腿部、  ３７・・膝、  ３８・・鼠径部、  １００・・身体装着具。
【図１】
2020117820.tif 000003
【図２】
2020117820.tif 000004
【図３】
2020117820.tif 000005